(57)【要約】【課題】アロマテラピー装置において、本来は交換できなかったカートリッジ等を、簡易に交換でき制御方法を簡素化する。【解決手段】複数のエッセンシャル・オイルカートリッジは、カートリッジユニットに取り付けるようになっており、オイルの消費状況によってエッセンシャルオイル・カートリッジを交換することが出来る。また、エッセンシャルオイルの組み合わせによってカートリッジユニットごと交換することも出来る。エッセンシャルオイルの調合は、調整つまみで行い各オイルの調整量によって自由に組合せを変えることが出来る。調合されたエッセンシャルオイルは、吸収容器に吸収され気化する。気化したエッセンシャルオイルはファンにより放出、拡散する。【選択図】図１
2008264189.tif 000002
【特許請求の範囲】
【請求項１】
エッセンシャル・オイルが充填された複数のエッセンシャル・オイルカートリッジと、前記カートリッジを一体に保持するカートリッジユニットと、前記カートリッジ内のエッセンシャル・オイルを滴下する滴下手段と、滴下するエッセンシャル・オイルを吸収する吸収容器と芳香調合調整手段とを備え、前記エッセンシャル・オイルカートリッジの交換ができる機構を設けたアロマテラピー装置。
【請求項２】
請求項１に記載のアロマテラピー装置において複数のエッセンシャル・オイルカートリッジは１本単位で交換できることを特徴としたアロマテラピー装置。
【請求項３】
請求項１に記載のアロマテラピー装置において、カートリッジユニットは交換できることを特徴としたアロマテラピー装置。
【請求項４】
請求項２に記載のアロマテラピー装置において、エッセンシャル・オイルカートリッジは接続部が薄膜で覆われていることを特徴としたアロマテラピー装置。
【請求項５】
請求項４に記載のアロマテラピー装置において、エッセンシャル・オイルカートリッジはさらに、プッシュアップに必要な形状を備えたアロマテラピー装置。
【請求項６】
請求項３，４のいずれかに記載のアロマテラピー装置において、カートリッジユニットはエッセンシャル・オイルカートリッジを保持する付勢手段を設け、薄膜を破る尖鋭部品を備えたアロマテラピー装置。
【請求項７】
請求項６に記載のアロマテラピー装置において、カートリッジユニットはさらに、プッシュアップ機構を備えエッセンシャル・オイルカートリッジの保持、取り出しができることを特徴としたアロマテラピー装置。
【請求項８】
請求項１に記載のアロマテラピー装置において、芳香調合調整手段は手動で操作することができ、芳香時間で蒸発する量のエッセンシャル・オイルを前記滴下手段から滴下するように制御することを特徴としたアロマテラピー装置。
【発明の詳細な説明】
【技術分野】
【０００１】
アロマテラピーに関するものでありエッセンシャル・オイルカートリッジ等が交換でき、エッセンシャル・オイルを手軽に組み合わせて調合できる装置に関する。
【背景技術】
【０００２】
近年の様々なストレス増大の社会において、これを癒やす手段や方法が数多く開発されている。中でもアロマテラピーは、安全で健康や美容に大きな効果をもたらしてくれる自然療法である。このアロマテラピーは、植物の生命体とされる香りの成分であるエッセンシャル・オイルを使用するが、正しく使いこなすには高度の知識と技術が必要である。このためヨーロッパの各国では国家資格を持つ植物療法士が治療やカウンセリングを行っている。日本は、国際植物療法協会の講座から、植物療法士（フィトラテラピスト）が出てきてはいるが、ヨーロッパなどに比べるとかなりの遅れをとっている分野である。このように、アロマテラピー効果の高い自然療法として認知されながらも、エッセンシャル・オイルの配合の難しさ、器具の設置及び使い勝手などから一般的な普及に至っていないのが現状である。
【特許文献１】特開２００３−１２６２２２
【発明の開示】
【発明が解決しようとする課題】
【０００３】
本発明の目的は、アロマテラピー装置において、本来は交換できなかったカートリッジ等を、簡易に交換でき制御方法を簡素化することである。
【課題を解決するための手段】
【０００４】
上記目的を達成するために、本発明はエッセンシャル・オイルカートリッジが充填された複数のエッセンシャル・オイルカートリッジと、前記カートリッジを一体に保持するカートリッジユニットと、前記カートリッジ内のエッセンシャル・オイルを滴下する滴下手段と、滴下するエッセンシャル・オイルを受ける容器と、芳香調合調整手段とを備え、前記エッセンシャル・オイルカートリッジ等の交換ができる機構を設けているので、エッセンシャル・オイルの使用状況によって、交換が自由にできる。さらに、エッセンシャル・オイルカートリッジは１本単位で交換することができ、場合によってはカートリッジユニットごと交換することができる。さらに前記芳香調合調整手段は手動で操作することができ、前記複数のエッセンシャル・オイルカートリッジの組み合わせと量を設定することができ、芳香時間で蒸発する量のエッセンシャル・オイルを前記滴下手段から滴下するように制御することができる。さらに、滴下したエッセンシャル・オイルはスポンジ等の吸収容器に吸収でき蒸発させることができる。前記エッセンシャル・オイルカートリッジは、接続部が薄膜で覆われており、さらに前記カートリッジユニットは、エッセンシャル・オイルカートリッジを保持する付勢手段を設け、薄膜を破る尖鋭部品を備えている。さらにプッシュアップ機構を備えエッセンシャル・オイルカートリッジの保持、取り出しができることも本発明である。
【発明の効果】
【０００５】
本発明により、アロマテラピー装置において本来は交換できなかったカートリッジ等を、簡易に交換でき制御方法を簡素化することが出来た。
【発明を実施するための最良の形態】
【０００６】
＜概要＞本発明のアロマテラピー装置は本来、交換できなかったカートリッジ等を、簡易に交換でき制御方法を簡素化することである。以下に詳しく説明する実施形態の装置は、複数のエッセンシャルオイル・カートリッジを用意し、各エッセンシャルオイル・カートリッジあたり滴下量を手動で調合ができるほか、エッセンシャルオイルの消費状況によってエッセンシャルオイル・カートリッジを交換することが出来る。また、エッセンシャルオイルの組み合わせによってカートリッジユニットごと交換することも出来る。上記のアロマテラピー装置の説明を、図面を用いて以下に詳細に説明する。
【０００７】
＜エッセンシャルオイルの調合＞図１はアロマテラピー装置を示す図である。エッセンシャルオイル・カートリッジ７〜１１（図５）の接続部は薄膜で覆われている。カートリッジユニット１０の内部には図４のような尖鋭部品１２と付勢装置１３が組み込まれており、エッセンシャルオイル・カートリッジ７〜１１を挿入することで尖鋭部品１２が薄膜を破りエッセンシャルオイルを流し込むことが出来る。
【０００８】
図３は、エッセンシャルオイルを調合する制御部の構成を示す図である。図９の調節つまみを回すと、バブル駆動部５によってバブル４の開閉ができ流れ出すエッセンシャルオイルの量を調節することが出来る。また、図８はメイン制御部を示す図である。調合調節部で調節されたエッセンシャルオイルは、メインスイッチ１５の回転で自由に止めることが可能でスイッチの役割を果たす。ここで流れ出したエッセンシャルオイルは、吸収容器（図６）で吸収され芳香気体を放香させることが出来る。
【０００９】
＜カートリッジの交換＞図２はカートリッジユニットを示した図である。カートリッジユニット６に挿入されエッセンシャルオイル・カートリッジ７〜１１は、溝によってカートリッジユニット６と一体に保持することが出来る。カートリッジユニット６の内部にはプッシュアップ機構が設けられており、これによりエッセンシャルオイル・カートリッジを交換することが出来る。また、カートリッジユニット６には芳香ユニット１とを着脱する機構を設け、エッセンシャルオイル・カートリッジを装着したままの交換が可能である。
【図面の簡単な説明】
【００１０】
【図１】アロマテラピー装置を示す図である。
【図２】カートリッジユニットを示す図である。
【図３】エッセンシャルオイルを調節する調合調整部を示す図である。
【図４】尖鋭部品、付勢部品を示す図である。
【図５】エッセンシャルオイル・カートリッジの詳細を示した図である。
【図６】エッセンシャルオイルを吸収する吸収容器を示した図である。
【図７】調合されたエッセンシャルオイルを制御するメイン制御部の詳細を示した図である。
【図８】メインスイッチを示した図である。
【図９】調節つまみを示した図である。
【符号の説明】
【００１１】
１         芳香ユニット
２         調節つまみ
３         調合調整部
４        
バルブ
５         バブル駆動部
６         カートリッジユニット
７〜１１  エッセンシャルオイル・カートリッジ
１２       尖鋭部品
１３       付勢部品
１４       吸収部材
１５       メインスイッチ
【図１】
2008264189.tif 000003
【図２】
2008264189.tif 000004
【図３】
2008264189.tif 000005
【図４】
2008264189.tif 000006
【図５】
2008264189.tif 000007
【図６】
2008264189.tif 000008
【図７】
2008264189.tif 000009
【図８】
2008264189.tif 000010
【図９】
2008264189.tif 000011